(57)【要約】【課題】  陸屋根が完全な平らでなくても容易に設置することができ、保存や運搬が簡単に行うことができ、しかも取り扱いやすい陸屋根用架台を開発すること。【解決手段】  架台部材、長さの異なる２本の脚および架台部材とそれぞれの脚を結合する４枚のプレートを含み、前記各プレートは前記架台部材に固定され、前記２本の脚はボルトおよびナットによりそれぞれ前記各２枚のプレートに回動可能に取り付けられ、更に前記プレートと前記脚にはそれぞれをボルトおよびナットで固定可能な孔が設けられている陸屋根用架台であって、設置前においては、２本の脚を架台部材と平行に折りたたまれ、設置現場においては、前記孔にボルトを通して各２枚のプレートと各脚とをナットで固定するとともに、脚を回動可能に取り付けられていたボルトおよびナットを締め増すことにより、プレートを介して架台部材と脚を固定することができる陸屋根用架台。【選択図】  図６
2008121418.tif 000002
【特許請求の範囲】
【請求項１】
架台部材、長さの異なる２本の脚および架台部材とそれぞれの脚を結合する４枚のプレートを含み、前記各プレートは前記架台部材に固定され、前記２本の脚はボルトおよびナットによりそれぞれ前記各２枚のプレートに回動可能に取り付けられ、更に前記プレートと前記脚にはそれぞれをボルトおよびナットで固定可能な孔が設けられている陸屋根用架台であって、設置前においては、２本の脚を架台部材と平行に折りたたまれ、設置現場においては、前記孔にボルトを通して各２枚のプレートと各脚とをナットで固定するとともに、脚を回動可能に取り付けられていたボルトおよびナットを締め増すことにより、プレートを介して架台部材と脚を固定することができることを特徴とする陸屋根用架台。
【請求項２】
更に、架台部材の２本の脚の間に、２枚の中間プレートが、架台部材に固定され、前記中間プレートには、ボルトおよびナットの締める位置を上下方向位置に調整可能な孔が設けられ、中間脚は、ボルトおよびナットにより前記孔に回動可能に取り付けられ、設置前においては、前記中間脚は架台部材に平行に折りたたまれ、設置現場においては、中間脚を開き、その位置を調整し、中間脚を回動可能に取り付けていたボルトおよびナットを締め増すことにより、中間プレートを介して架台部材と中間脚が固定される請求項第１項記載の陸屋根用架台。
【請求項３】
ボルトおよびナットの締める位置を上下方向位置に調整可能な孔が、長円形または繭玉形である請求項第２項記載の陸屋根用架台。
【請求項４】
各脚の接地面に固定足が設けられた請求項第１項ないし第３項の何れかの項記載の陸屋根用架台。
【請求項５】
固定足の少なくとも一つに位置調整機構が設けられた請求項第１項ないし第４項の何れかの項記載の陸屋根用架台。
【発明の詳細な説明】
【技術分野】
【０００１】
本発明は、陸屋根用架台に関し、更に詳細には、コンクリートなどで形成された陸屋根上に、太陽光パネル等を設置する際に使用される架台に関する。
【背景技術】
【０００２】
太陽光パネル等、太陽のエネルギーを有効に使用する装置では、これらに当たる光を他の建造物に妨害されないために、屋根の上に設置することが多い。このうち、一般の屋根では、屋根自体がある程度の傾斜を有するため、単に屋根の上にこれに沿って設置すればよいが、屋根の上面がほぼ平らな陸屋根では、太陽光パネル等の面を太陽方向に斜めに向けることが必要となる。
【０００３】
従来、太陽光パネル等で使用する陸屋根用架台としては、作業上で長さの異なる脚を架台部材に溶接したものが広く使用されていた。しかしながら、このような架台は、作業場で平らな面に設置することを想定して製作されるため、実際に設置する場所に、水はけのためや、工事で生じるわずかな傾斜がある場合は、きっちりと設置することができず、調整のための介在物を挟み込むなどの工夫が必要になる場合があった。
【０００４】
また、脚を架台部材に溶接した後は、保存や運搬に場所を取るなどの問題や、設置に当たって取り扱いにくいなどの問題があった。更に、脚を架台部材に溶接した架台では、その一部が腐食した場合であっても全体を交換しなければならないという問題もあった。
【発明の開示】
【発明が解決しようとする課題】
【０００５】
従って、陸屋根が完全な平らでなくても容易に設置することができ、保存や運搬が簡単に行うことができ、しかも取り扱いやすい陸屋根用架台の開発が求められていた。
【課題を解決するための手段】
【０００６】
本発明者らは、上記課題を解決すべく鋭意研究を行った結果、架台部材に取り付ける脚を折り曲げ可能とし、設置現場において固定可能とすることにより、陸屋根が正確に水平でなくとも設置可能であることを見出した。また、架台部材が長く、中間に支持脚が必要な場合であっても、この支持脚を調整可能とすれば、ぐらつくことなくしっかりと設置できることを見出した。
【０００７】
すなわち本発明は、架台部材、長さの異なる２本の脚および架台部材とそれぞれの脚を結合する４枚のプレートを含み、前記各プレートは前記架台部材に固定され、前記２本の脚はボルトおよびナットによりそれぞれ前記各２枚のプレートに回動可能に取り付けられ、更に前記プレートと前記脚にはそれぞれをボルトおよびナットで固定可能な孔が設けられている陸屋根用架台であって、設置前においては、２本の脚を架台部材と平行に折りたたまれ、設置現場においては、前記孔にボルトを通して各２枚のプレートと各脚とをナットで固定するとともに、脚を回動可能に取り付けられていたボルトおよびナットを締め増すことにより、プレートを介して架台部材と脚を固定することができることを特徴とする陸屋根用架台である。
【０００８】
また本発明は、更に、架台部材の２本の脚の間に、２枚の中間プレートが、架台部材に固定され、前記中間プレートには、ボルトおよびナットの締める位置を上下方向位置に調整可能な孔が設けられ、中間脚は、ボルトおよびナットにより前記孔に回動可能に取り付けられ、設置前においては、前記中間脚は架台部材に平行に折りたたまれ、設置現場においては、中間脚を開き、その位置を調整し、中間脚を回動可能に取り付けていたボルトおよびナットを締め増すことにより、中間プレートを介して架台部材と中間脚が固定される前記陸屋根用架台である。
【発明の効果】
【０００９】
本発明の陸屋根用架台は、架台部材に取り付けられた脚が折り曲げ可能となっているため、従来の既溶接の架台に比べ、保存や運搬時に場所を取ることなく、また、設置に当たっても取り扱いやすく、更に、部分的に交換も可能なものである。
【００１０】
また、中間脚を取り付けた本発明の陸屋根用架台では、各脚が取り付けられる陸屋根表面が完全な水平でなくても確実に取り付けることが可能である。
【発明を実施するための最良の形態】
【００１１】
以下、本発明のいくつかの実施態様を示す図面とともに本発明を説明する。
【００１２】
図１は、陸屋根用架台（以下、「架台」という）の使用状態を示す図面、図２は本発明架台の脚を折りたたんだ状態を示す図面であり、図３は本発明の長脚側の固定状態を、図４は短脚側の固定状態を示す図面である。図中、１は架台、２は架台部材、３ａは長脚、３ｂは短脚、４はプレート、５は固定手段、６は回動用ボルト・ナット、７はプレート側孔、８は脚側孔、９は固定足、１０はアングル取り付け用ボルト、１２は通しボルト・ナットを示し、Ａは取り付けアングル、Ｂは太陽光パネルを示す。
【００１３】
本発明の架台１は、図１に示すように、その上にアングルＡを設け、太陽光パネルＢ等を斜めに保持するための基台として用いられるものである。本図の基台１は、中間に脚を有するものが示され、その本数も３本であるが、これに限らず、中間脚がなくても良いし、また、基台１の使用数も２本以上の適当な数とすることができる。
【００１４】
図２は、脚が２本である最も基本的な架台１の折りたたんだ状態を示す図面である。本発明の架台１は、架台部材２の両端に、プレート４を介して脚３が取り付けられたものである。この状態では、架台部材２とプレート４は、いずれも固定手段５により固定されている。本態様においては、固定手段としてボルト・ナットが使用されているが、溶接や、リベット等の固定手段を利用しても良い。
【００１５】
一方、長脚３ａおよび短脚３ｂは、回動ボルト・ナット６により、それぞれプレート４ａおよび４ｂに、回動可能に取り付けられている。ここでいう「回動可能に取り付けられている」とは、自然状態では回動しないが、作業者がある程度の力を加えることにより、動かすことができる状態をいう。
【００１６】
また、上記プレート４ａおよび４ｂには、それぞれ脚３ａおよび３ｂと固定するためのプレート側孔７が設けられ、他方の脚３ａおよび３ｂにも上記プレート側孔７に対応した脚側孔８が設けられており、設置時には脚３を開いた状態で同じ位置にくるこれらの孔に通しボルト・ナット１２を通し、締め付けることにより固定する。
【００１７】
更に、長脚３ａおよび短脚３ｂの下部には、架台１を接地面に安定に固定するための固定足９ａおよび９ｂが取り付けられており、アンカーボルト（図示せず）等を用い、コンクリート面等の設置位置に架台１を固定する。更にまた、架台部材２上には、上部に向かってアングル取り付け用ボルト１０が取り付けられ、ここに取り付けアングルＡが設置され、太陽光パネルＢ等が設置可能となる。
【００１８】
次に、図３および図４を用いて、本発明架台１の設置状態を説明する。架台部材２および脚３は、それぞれ上部が斜めに切り欠かれており、折り曲げた脚３を開いた状態で、それぞれの切り欠き部分が点線で示したように当接する。この状態で、前記プレート側孔７および脚側孔８は同じ位置にくるので、この２つの孔を通しボルト・ナット１２で固定する。そして、更に回動可能に取り付けてあった回動ボルト・ナット６を増し締めすることにより、全体が安定に固定されるのである。
【００１９】
なお、本発明の架台においては、脚の何れか一方に固定足の少なくとも一つに、図５に示すような位置調整機構を設けても良い。図５の位置調整機構は、固定足９ｂの立ち上がり面に２本の長円形ないしは繭玉形の調整孔１３を設け、ボルト・ナット１４（ボルトは、下（脚側）から突出する）により、この調整孔１３を挟み込む形で固定することにより、上下位置の調整を可能とするものである。
【００２０】
次に、中間に脚を有する態様の本発明架台１について、図６および図７を用いて説明する。図６はこの態様の架台１の斜視図、図７は、中間脚の部分の側面図である。図中、１５は中間脚、１６は中間プレート、１７は調整孔、１８は回動ボルト・ナットをそれぞれ示す。
【００２１】
まず、中間プレート１６は、固定手段５により架台部材２に固定される。この中間プレート１６には、長円形ないし繭玉形の位置調整孔１７が設けられており、中間脚１５は、この調整孔１７中に、回動ボルト・ナット１８で回動可能に取り付けられている。中間脚１５に固定足９ｃが設けられるのは、長脚３ａ等と同じであり、この固定足９ｃに調整機構を設けて良いこともいうまでもない。
【００２２】
上記した、中間脚１５の固定は、次のようにして行う。まず、回動可能に取り付けた回動ボルト・ナット１８を緩め、中間脚１５の上端面２０が架台部材２の下面に当接するように調整する。この位置において、回動ボルト・ナット１８を締めて行くと、中間脚１５は、架台部材２を支える形で固定される。
【００２３】
なお、中間脚１５を用いる架台１は、長さが長いものが一般的であり、この結果、長脚３ａの高さも高くなり、倒れやすくなることも想定される。このような場合には、複数個立ち並んだ長脚３ａの間を、補強材（図示せず）で結び、強度を上げることが好ましい。このような補強材としては、金属の帯板あるいは金属ワイヤーが利用され、その設置は、長脚３ａの上部と、隣の長脚３ａの下部を結んだアングルとすることが好ましい。
【００２４】
以上説明した本発明によれば、架台１は、脚３を折りたたんだ形で、保管、運搬できるため、溶接により製造される従来のものに比べ、取り扱いが容易である。
【００２５】
また、各脚の長さをそれぞれ調整することができるので、実際の現場において、各脚が取り付けられる陸屋根表面が完全な水平でなくても確実に取り付けることが可能である。
【図面の簡単な説明】
【００２６】
【図１】本発明の陸屋根用架台の使用状態を示す図面
【図２】脚が２本である本発明の陸屋根用架台の斜視図
【図３】長脚側の設置後の状態を示す側面図
【図４】短脚側の設置後の状態を示す側面図
【図５】調整機構を設けた固定足を示す正面図
【図６】脚が３本である本発明の陸屋根用架台の斜視図
【図７】中間脚の取り付け状態を示す側面図
【符号の説明】
【００２７】
１  ……  架台
２  ……  架台部材
３ａ  ……  長脚
３ｂ  ……  短脚
４  ……  プレート
５  ……  固定手段
６  ……  回動ボルト・ナット
７  ……  プレート側孔
８  ……  脚側孔
９  ……  固定足
１０  ……  アングル取り付け用ボルト
１１  ……  固定孔
１２  ……  通しボルト・ナット
１３  ……  調整孔
１４  ……  調整用ボルト・ナット
１５  ……  中間脚
１６  ……  中間プレート
１７  ……  位置調整孔
１８  ……  回動ボルト・ナット
Ａ  ……  取り付けアングル
Ｂ  ……  太陽光パネル
以    上
【図１】
2008121418.tif 000003
【図２】
2008121418.tif 000004
【図３】
2008121418.tif 000005
【図４】
2008121418.tif 000006
【図５】
2008121418.tif 000007
【図６】
2008121418.tif 000008
【図７】
2008121418.tif 000009